(57)【要約】【課題】複数のサイズに対応でき、デザインを変更できるビスチェおよびビスチェセットを提供する。【解決手段】ビスチェセット１１は、ボディ部１２、小パネル部１３および大パネル部１４からなる。ボディ部１２と小パネル部１３を接合することにより小さいサイズの小ビスチェＡが形成される。また、ボディ部１２と大パネル部１４を接合することにより大きいサイズのビスチェが形成される。【選択図】      図１
2004293012.tif 000002
【特許請求の範囲】
【請求項１】
少なくとも前身頃および両脇となるボディ部と、
前記ボディ部に対し着脱可能であり、後身頃の一部となるパネル部と、
を筒状に接合して形成されることを特徴とするビスチェ。
【請求項２】
前記ボディ部の裏面に、パーツが交換可能に取り付けられる取付手段を有することを特徴とする請求項１に記載のビスチェ。
【請求項３】
請求項１または請求項２に記載のビスチェを用いたビスチェセットであって、
一枚の前記ボディ部と、周方向の大きさが異なる二枚の前記パネル部と、を有し、前記パネル部を交換してそのうちの一枚を前記ボディ部に接合することにより、二つのサイズに対応可能であることを特徴とするビスチェセット。
【請求項４】
請求項１または請求項２に記載のビスチェを用いたビスチェセットであって、
一枚の前記ボディ部と、周方向の大きさが異なる三枚の前記パネル部と、を有し、前記パネル部を交換してそのうちの一枚を前記ボディ部に接合することにより、三つのサイズに対応可能であることを特徴とするビスチェセット。
【発明の詳細な説明】
【０００１】
【発明の属する技術分野】
本発明は、複数のサイズに対応でき、デザインを変更できるビスチェおよびビスチェセットに関する。
【０００２】
【従来の技術】
ビスチェは、ツーピースのウェディングドレスの身頃として用いられている（例えば、非特許文献１参照。）。しかしながら、従来のビスチェには、サイズやデザインの異なるビスチェを用意するにはコストがかかるという問題があった。
【０００３】
【非特許文献１】
「ゼクシィ首都圏版」，リクルート，２００３年２月，ｐ．３０７
【０００４】
【発明が解決しようとする課題】
そこで、本発明は、複数のサイズに対応でき、デザインを変更できるビスチェおよびビスチェセットを提供することを課題とする。
【０００５】
【課題を解決するための手段】
上述した課題を解決するために、請求項１に記載のビスチェは、少なくとも前身頃および両脇となるボディ部と、前記ボディ部に対し着脱可能であり、後身頃の一部となるパネル部と、を筒状に接合して形成される構成とした。
【０００６】
このような構成にすることにより、ボディ部の一方の側端部とパネル部の一方の側端部と接合し、さらに、ボディ部の他方の側端部とパネル部の他方の側端部とを接合することにより筒状とし、一着のビスチェが形成される。接合は、例えば、ボディ部、パネル部のそれぞれ左右両端に形成された接合手段により行われる。接合手段として、オープンファスナー、逆開ファスナー、面ファスナー、ボタンおよびボタン穴、フック、紐および穴やそれらの組み合わせ等が好適に使用できる。
【０００７】
パネル部は、一枚のボディ部に対し、周方向の大きさが異なる複数枚のパネル部があってもよい。この場合には、着る人（花嫁）のサイズに合わせて、適当なサイズのパネル部を選択することが可能となる。
【０００８】
したがって、パネル部のサイズの種類だけのサイズに対応可能なビスチェを提供することができる。これは、各サイズのビスチェを一着ずつ用意するのに比べて、低コストであり、また、保管場所もとらないので、店舗における販売・レンタルに好適である。
【０００９】
また、サイズの変更を後身頃の一部となるパネル部の交換によるので、サイズ変更による、ボディ部に形成されたバスト等、ビスチェのデザインへの影響を抑えることができる。
【００１０】
また、請求項２に記載のビスチェは、請求項１に記載のビスチェであって、前記ボディ部の裏面に、パーツが交換可能に取り付けられる取付手段を有する構成とした。
【００１１】
ここでいうパーツとは、肩紐、首飾り、肩飾り、袖等、ビスチェに取り付けることによりビスチェのデザインを変更できるものを指す。これらパーツを取り付けることにより、一着のビスチェを複数のデザインに変更できる。また、取付手段は、ビスチェの裏面に形成されるので、パーツ使用時・未使用時において目立つことがない。
【００１２】
取付手段としては、セッパ、ボタン、フック、面ファスナーやそれらの組み合わせ等が好適に使用できる。
【００１３】
また、請求項３に記載のビスチェセットは、請求項１または請求項２に記載のビスチェを用いたビスチェセットであって、一枚の前記ボディ部と、周方向の大きさが異なる二枚の前記パネル部と、を有し、前記パネル部を交換してそのうちの一枚を前記ボディ部に接合することにより、二つのサイズに対応可能である構成とした。
【００１４】
上述したビスチェセットは、一枚のボディ部と、周方向の大きさが異なる二枚のパネル部（小パネル部および大パネル部）を有する。ボディ部と小パネル部とを接合することにより、小さいサイズのビスチェが形成される。また、ボディ部と大パネル部とを接合することにより、大きいサイズのビスチェが形成される。したがって、一枚のボディ部と二枚のパネル部とを用意することにより２サイズ（５号と７号、７号と９号、９号と１１号等）に対応できるビスチェセットを提供することができる。
【００１５】
また、請求項４に記載のビスチェセットは、請求項１または請求項２に記載のビスチェを用いたビスチェセットであって、一枚の前記ボディ部と、周方向の大きさが異なる三枚の前記パネル部と、を有し、前記パネル部を交換してそのうちの一枚を前記ボディ部に接合することにより、三つのサイズに対応可能である構成とした。
【００１６】
上述したビスチェセットは、一枚のボディ部と、周方向の大きさが異なる三枚のパネル部（小パネル部、中パネル部および大パネル部）を有する。ボディ部と小パネル部とを接合することにより、小さいサイズのビスチェが形成される。また、ボディ部と中パネル部とを接合することにより、中間のサイズのビスチェが形成される。また、ボディ部と大パネル部とを接合することにより、大きいサイズのビスチェが形成される。したがって、一枚のボディ部と三枚のパネル部とを用意することにより、３サイズ（５号と７号と９号、７号と９号と１１号等）に対応できるビスチェセットを提供することができる。
【００１７】
【発明の実施の形態】
次に、本発明の実施の形態について適宜図面を参照しながら説明する。同様の部分には同一符号を付し、重複する説明を省略する。また、位置、方向をあらわす表現（上下、左右、表裏等）は、花嫁がビスチェを着た状態を基準とする。
【００１８】
（第一の実施形態）
図１は、本発明の第一の実施形態に係るビスチェセットを示す図であり、（ａ）は表面を示す図、（ｂ）は裏面を示す図、（ｃ）はビスチェセットから形成されたビスチェを示す図である。図１に示すように、ビスチェセット１１は、ボディ部１２、小パネル部１３および大パネル部１４からなる。ボディ部１２と小パネル部１３を接合することにより小さいサイズのビスチェ（以下、小ビスチェＡと記載する。）が形成される。また、ボディ部１２と大パネル部１４を接合することにより大きいサイズのビスチェ（以下、大ビスチェＢと記載する。）が形成される。なお、図２（ｃ）には、各ビスチェの例として、小ビスチェＡを記載したが、大ビスチェＢについても周方向のサイズが変わる点以外は略同様の形状となる。
【００１９】
ボディ部１２は、各ビスチェＡ・Ｂの前身頃、両脇、後身頃の脇側となる部材であり、オープンファスナー１２ａ・１２ｂ、面ファスナー１２ｃ・１２ｄ、ループボタン１２ｅ・１２ｆ、着付用平ゴム１２ｇ・１２ｈ、ずれ防止平ゴム１２ｉ・１２ｊ、吊紐１２ｋ・１２ｌ、セッパＳおよびボタンＴを有する。また、縦方向にのびる６本のボーンＲにより、型崩れしないようになっている。また、ボディ部１２の左右両端（持出し部分）の形状は、各パネル部１３・１４の左右両端（見返し部分）の形状と同一形状となっており、接合しやすく、かつ接合後のシルエットが美しく保たれる構成となっている。
【００２０】
左右のオープンファスナー１２ａ・１２ｂは、それぞれボディ部１２の左右両端に、それぞれ縦方向に取り付けられている。左オープンファスナー１２ａは、後述する左オープンファスナー１３ａ・１４ａと接合可能である。また、右オープンファスナー１２ｂは、後述する右オープンファスナー１３ｂ・１４ｂと接合可能である。
【００２１】
左右の面ファスナー１２ｃ・１２ｄは、それぞれボディ部１２表面の左右両端やや内側に、それぞれ縦方向に取り付けられている。左面ファスナー１２ｃは、後述する左面ファスナー１３ｃ・１４ｃと接合可能である。また、右面ファスナー１２ｄは、後述する右面ファスナー１３ｄ・１４ｄと接合可能である。
【００２２】
本実施形態において、各面ファスナー（１２ｃ・１２ｄ・１３ｃ・１３ｄ・１４ｃ・１４ｄ）は、縦方向に複数の面ファスナーを並べた構成とした。これは、接合時に型崩れが生じるのを防ぐためである。また、接合部分が安定し、ずれ、はずれ等を防止することができる。
【００２３】
左右のループボタン１２ｅ・１２ｆは、それぞれボディ部１２表面の左右両端の面ファスナー１２ｃ・１２ｄの内側に、それぞれ縦方向に複数並ぶように取り付けられている。左ループボタン１２ｅは、後述する左ループ紐１３ｅ・１４ｅと留めあわせることができる。また、右ループボタン１２ｆは、後述する右ループ紐１３ｆ・１４ｆと留めあわせることができる。
【００２４】
着付用平ゴム１２ｇ・１２ｈは、それぞれボディ部１２裏面上側に、その一端を左右両端のボーンＲに取り付けられている。着付用平ゴム１２ｇ・１２ｈは、その外側端にそれぞれ掛止手段（図示せず）を有し、花嫁の背中側で互いに掛止可能となっている。このようにすることで、着付時においてボディ部１２は、花嫁に固定された状態となり、ボディ部１２にパネル部１３（またはパネル部１４）を取り付ける際には、一人のスタッフだけで各オープンファスナーを接合することが可能となる。
【００２５】
上述した掛止手段（例えば、ホック等）による掛止は、少なくとも２サイズに対応可能な構成となっている。すなわち、小パネル部１３使用時には、ボディ部１２の周方向のサイズが小パネル部１３に対応する大きさになるよう掛止される。また、大パネル部１４使用時には、ボディ部１２の周方向のサイズが大パネル部１４に対応する大きさになるよう掛止される。
【００２６】
ずれ防止平ゴム１２ｉ・１２ｊは、それぞれボディ部１２裏面下側に、その一端を左右２番目のボーンＲに取り付けられている。それらの内側となる高さ中央部分には、周方向にのびるようにシリコン付ゴムＵが取り付けられている。花嫁がビスチェの下に下着をつけている場合には、シリコン付ゴムＵが滑り止めの機能を果たし、ビスチェがずれることを防ぐ。なお、シリコン付ゴムＵの形状はこれに限定されず、ビスチェのずれを防止できる形状であればよい。また、ずれ防止平ゴム１２ｉ・１２ｊは、その外側端にそれぞれ掛止手段（図示せず）を有し、花嫁の背中側で互いに掛止可能となっている。
【００２７】
上述した掛止手段（例えば、ホック等）による掛止は、着付用平ゴム１２ｇ・１２ｈの掛止手段による掛止同様、少なくとも２サイズに対応可能な構成となっている。
【００２８】
吊紐１２ｋ・１２ｌは、ボディ部１２をハンガー等に吊り掛け、収納・展示するために用いられる。
【００２９】
セッパＳは、ボディ部１２裏面の上側に、等間隔で複数個形成される。その数は、ボディ部１２の周方向の大きさ等により決められる。
【００３０】
ボタンＴは、ボディ部１２裏面の上側に、複数個形成される。本実施形態では１０個のボタンＴが取り付けられる。
【００３１】
小パネル部１３は、小ビスチェＡ後身頃の中心部分となる部材であり、オープンファスナー１３ａ・１３ｂ、面ファスナー１３ｃ・１３ｄ、ループ紐１３ｅ・１３ｆおよび吊紐１３ｇを有する。
【００３２】
左右のオープンファスナー１３ａ・１３ｂは、小パネル部１３裏面の左右両端やや内側に、それぞれ縦方向に取り付けられる。左オープンファスナー１３ａは、ボディ部１２の左オープンファスナー１２ａと接合可能である。また、右オープンファスナー１３ｂは、ボディ部１２の右オープンファスナー１２ｂと接合可能である。
【００３３】
左右の面ファスナー１３ｃ・１３ｄは、小パネル部１３裏面の左右両端やや内側、かつ左右のオープンファスナー１３ａ・１３ｂの外側に、それぞれ縦方向に取り付けられる。左面ファスナー１３ｃは、ボディ部１２の面ファスナー１２ｃと接合可能である。また、右面ファスナー１３ｄは、ボディ部１２の面ファスナー１３ｄと接合可能である。
【００３４】
左右のループ紐１３ｅ・１３ｆは、小パネル部１３の左右側端部に、それぞれ縦方向に複数並ぶように取り付けられる。左ループ紐１３ｅは、ボディ部１２のループボタン１２ｅと留めあわせることができる。また、右ループ紐１３ｆは、ボディ部１２のループボタン１２ｆと留めあわせることができる。
【００３５】
吊紐１３ｇは、小パネル部１３をハンガー等に吊り掛け、収納・展示するために用いられる。
【００３６】
大パネル部１４は、大ビスチェＢの後身頃の中心部分となる部材であり、オープンファスナー１４ａ・１４ｂ、面ファスナー１４ｃ・１４ｄ、ループ紐１４ｅ・１４ｆおよび吊紐１４ｇを有し、それぞれ、１３ａ〜１３ｇと同様の機能を有する。
【００３７】
小パネル部１３と大パネル部１４とは、その周方向の大きさが異なる。大パネル部１４の周方向の大きさは、小パネル部１３より１サイズ分（３ｃｍ）大きくなっている。したがって、大ビスチェＢは、小ビスチェＡよりの１サイズ大きくなる。
【００３８】
つまり、本実施形態に係る一組のビスチェセット１１から、サイズの異なる二着のビスチェ（小ビスチェＡおよび大ビスチェＢ）を形成することが可能である。
【００３９】
本実施形態では、ボディ部１２のパターン（バスト、ウェスト等）は、以下に示す手順のいずれかで作成される。
（１）  大パネル部１４を取り付けた場合を基準として作成する。その後、小さいサイズに対応できるように小パネル部１３を作成する。
（２）  小パネル部１３を取り付けた場合を基準として作成する。その後、大きいサイズに対応できるように大パネル部１４を作成する。
（３）  中間のサイズを基準として作成する。その後、大きいサイズに対応できるように大パネル部１３を作成し、小さいサイズに対応できるように小パネル部１４を作成する。
【００４０】
本実施形態のビスチェセットの着付について、小ビスチェＡを例にとって説明する。まず、ボディ部１２を花嫁の上半身に着け、左右の着付用平ゴム１２ｅ・１２ｆを背中側で掛止し、ボディ部１２を花嫁に固定する。次に、左右のずれ防止平ゴム１２ｇ・１２ｈを背中側で掛止し、ボディ部１２がずれないようにする。続いて、ボディ部１２および小パネル部１３を、それぞれのオープンファスナー（１２ａと１３ａ、１２ｂと１３ｂ）を用いて接合する。その後、それぞれの面ファスナー同士（１２ｃと１３ｃ、１２ｄと１３ｄ）を接合する。そして、それぞれのループボタンとループ紐（１２ｅと１３ｅ、１２ｆと１３ｆ）とを留めあわせる。
【００４１】
上述した着付中、着付用平ゴム１２ｇ・１２ｈを用いてボディ部１２を掛止するので、ボディ部１２のオープンファスナー１２ａ・１２ｂは花嫁に対し固定された状態となる。したがって、その後の各オープンファスナーによる接合が容易であり、着付を行うスタッフの労力削減につながる。また、着付終了後には、各オープンファスナー・面ファスナーは見えないので、美観の妨げとはならない。
【００４２】
本実施形態のビスチェセット１１は、パネル部を交換することにより２サイズに対応できる。例えば、５・７・９・１１号のビスチェを品揃えする際には、２組のビスチェセット１１（５・７号対応および９・１１号対応）を用意すればよい。したがって、販売やレンタルにおける店舗のストックを減らすことができる。
【００４３】
（第二の実施形態）
図２は、本発明の第二の実施形態に係るビスチェを示す図であり、（ａ）は表面を示す図、（ｂ）は裏面を示す図、（ｃ）はビスチェセットから形成されたビスチェを示す図である。図２に示すように、ビスチェセット２１は、ボディ部２２、小パネル部２３、中パネル部２４および大パネル部２５からなる。ボディ部２２と小パネル部２３を接合することにより小さいサイズのビスチェ（以下、小ビスチェＣと記載する。）が形成される。また、ボディ部２２と中パネル部２４を接合することにより中間のサイズのビスチェ（以下、中ビスチェＤと記載する。）が形成される。また、ボディ部２２と大パネル部２５とを接合することにより大きいサイズのビスチェ（以下、大ビスチェＥと記載する。）が形成される。なお、図２（ｃ）には、各ビスチェの例として、小ビスチェＣを記載したが、中ビスチェＤおよび大ビスチェＥについても周方向のサイズが変わる点以外は略同様の形状となる。
【００４４】
ボディ部２２は、第一の実施形態のボディ部１２とほぼ同様の構成である。すなわち、２２ａ〜２２ｌは、１２ａ〜１２ｌと同様である。また、各パネル部２３・２４・２５は、第一の実施形態の小パネル部１３とほぼ同様の構成である。すなわち、２３ａ〜２３ｇ、２４ａ〜２４ｇ、２５ａ〜２５ｇは、１３ａ〜１３ｇと同様である。なお、着付用平ゴム２２ｇ・２２ｈおよびずれ防止平ゴム２２ｉ・２２ｊの掛止手段（図示せず）による掛止は、少なくとも３サイズに対応可能な構成となっている。
【００４５】
小パネル部２３、中パネル部２４、大パネル部２５の周方向の大きさは、この順番に１サイズ分（３ｃｍ）ずつ大きくなるよう形成されている。したがって、小ビスチェＣ、中ビスチェＤ、大ビスチェＥの順番に１サイズずつ大きくなる。
【００４６】
本実施形態では、ボディ部２２のパターンは、中パネル部２４を接合した場合を基準として作成する。そして、小さいサイズに対応できるように、中パネル２４より周方向に小さい小パネル部２３を作成する。また、大きいサイズに対応できるように、中パネル部２４より周方向に大きい大パネル部２５を作成する。
【００４７】
本実施形態の一組のビスチェセット２１は、パネル部を交換することにより３サイズに対応できる。例えば、５・７・９・１１・１３号のビスチェを品揃えする際には、２着のビスチェセット２１（５・７・９号対応および９・１１・１３号対応）を用意すればよい（９号は需要が多いので両方で対応可能とする。）。また、３着のビスチェセット２１（５・７・９号対応、７・９・１１号対応および９・１１・１３号対応）を用意する構成であってもよい。したがって、販売あるいはレンタルにおける店舗のストックを減らすことができる。また、第一の実施形態に係るビスチェセット１１と組み合わせて品揃えすることも可能である。
【００４８】
（第三の実施形態）
図３は、第三の実施形態に係るビスチェセットを示す図であり、（ａ）は表面を示す図、（ｂ）は裏面を示す図、（ｃ）はビスチェセットから形成されたビスチェを示す図である。図３に示すように、ビスチェセット３１は、ボディ部３２、小パネル部３２、中パネル部３３および大パネル部３５からなる。ビスチェセット３１は、第二の実施形態に係るビスチェセット２１とほぼ同様の構成であり、ほぼ同様の効果を有する。両者の相違点は、ボディ部３２および各パネル部３３・３４・３５の上側のラインデザインと、ボタンＴの数（本実施形態では２２個）である。
【００４９】
（第四の実施形態）
上述した各実施形態に係るビスチェセット１１・２１・３１により形成される各ビスチェは、図４（ａ）に示すようにセッパＳ（図１等参照）を利用して首飾りＦを取り付けたり、図４（ｂ）に示すようにボタンＴ（図１等参照）を利用して肩紐Ｇを取り付けたりすることができる（図では小ビスチェＡに取り付けた例を記載した。）。また、ビスチェセット３１は、図４（ｃ）に示すようにボタンＴを利用して肩紐ＧおよびオフショルダーＨを取り付けることができる（図では小ビスチェＣに取り付けた例を記載した。）。その他、袖等を取り付けることが可能である。このように、さまざまなパーツを用意することにより、注文に応じてデザインを変更することができる。
【００５０】
（接合手段の変形例）
図５は、ボディ部とパネル部との接合手段の変形例を示す概略図である。以下に示す変形例は、接合手段としてボディ部および各パネル部の左右両側端に取り付けられたオープンファスナーを有する構成であり、接合部分の一方を示している。
【００５１】
図５（ａ）は、コンシールタイプのオープンファスナー５２ｂ・５３ｂを用い、着付後にボディ部５２およびパネル部５３によりオープンファスナー５２ｂ・５３ｂが隠れるように取り付ける構成である。なお、各オープンファスナー５２ｂ・５３ｂは、そのステッチＶが着付後に見えないように、それぞれボディ部５２およびパネル部５３に取り付けられている。
【００５２】
図５（ｂ）は、コンシールタイプのオープンファスナー６２ｂ・６３ｂを用い、着付後にボディ部６２およびパネル部６３によりオープンファスナー６２ｂ・６３ｂが隠れるように取り付ける構成である。なお、各オープンファスナー６２ｂ・６３ｂは、そのステッチＶが見えるように、それぞれボディ部６２およびパネル部６３に取り付けられている。
【００５３】
図５（ｃ）は、着付後にボディ部７２およびパネル部７３により各オープンファスナー７２ｂ・７３ｂのファスナーテープ部分が隠れ、務歯部分だけが見えるように取り付ける構成である。
【００５４】
図５（ｄ）は、ボディ部８２のループボタン８２ｆとパネル部８３のループ紐８３ｆとを留めることにより、各オープンファスナー８２ｂ・８３ｂが隠れるように取り付ける構成である。
【００５５】
（実施例１）
本発明の第一の実施形態に係るビスチェセット１１の実施例として、５号と７号に対応可能なビスチェセットを作成した。その寸法等を表１に示す。
【００５６】
【表１】
2004293012.tif 000003
【００５７】
ボディ部１２と小パネル部１３とを接合することにより、５号サイズの小ビスチェＡとなる。また、ボディ部１２と大パネル部１４とを接合することにより、７号サイズの大ビスチェＢとなる。
【００５８】
（実施例２）
本発明の第二の実施形態に係るビスチェセット２１の実施例として、７号・９号・１１号に対応可能なビスチェセットを作成した。その寸法等を表２に示す。
【００５９】
【表２】
2004293012.tif 000004
【００６０】
ボディ部２２と小パネル部２３とを接合することにより、７号サイズの小ビスチェＣとなる。また、ボディ部２２と中パネル部２４とを接合することにより、９号サイズの中ビスチェＤとなる。また、ボディ部２２と大パネル部２５とを接合することにより、１１号サイズの大ビスチェＥとなる。
【００６１】
なお上述した各実施形態は、その要旨を逸脱しない範囲で適宜変更可能である。例えば、ビスチェのデザインは図１〜４に示した形状に限定されない。また、取付手段としてのセッパＳやボタンＴの位置や数も変更可能であり、また、それ以外のもの（面ファスナー等）を取付手段としてもよい。また、パネル部にも取付手段を有する構成であってもよい。また、各実施形態に係るビスチェおよびビスチェセットは、ウェディングドレス以外に用いられるビスチェおよびビスチェセットとしても好適に使用できる。
【００６２】
【発明の効果】
本発明のビスチェおよびビスチェセットによれば、複数のサイズに対応でき、デザインを変更できるビスチェおよびビスチェセットを提供することができる。
【図面の簡単な説明】
【図１】本発明の第一の実施形態に係るビスチェセットを示す図である。
【図２】本発明の第二の実施形態に係るビスチェセットを示す図である。
【図３】本発明の第三の実施形態に係るビスチェセットを示す図である。
【図４】本発明の第四の実施形態に係るビスチェのパーツ取付例を示す図である。
【図５】本発明の接続手段の変形例を示す概略図である。
【符号の説明】
１１、２１、３１    ビスチェセット
１２、２２、３２    ボディ部
１２ａ、１２ｂ、２２ａ、２２ｂ、３２ａ、３２ｂ、    オープンファスナー（接合手段）
１２ｃ、１２ｄ、２２ｃ、２２ｄ、３２ｃ、３２ｄ    面ファスナー（接合手段）
１２ｅ、１２ｆ、２２ｅ、２２ｆ、３２ｅ、３２ｆ    ループボタン（接合手段）
１３、２３、３３    小パネル部
１３ａ、１３ｂ、２３ａ、２３ｂ、３３ａ、３３ｂ    オープンファスナー（接合手段）
１３ｃ、１３ｄ、２３ｃ、２３ｄ、３３ｃ、３３ｄ    面ファスナー（接合手段）
１３ｅ、１３ｆ、２３ｅ、２３ｆ、３３ｅ、３３ｆ    ループ紐（接合手段）
２４、３４    中パネル部
２４ａ、２４ｂ、３４ａ、３４ｂ    オープンファスナー（接合手段）
２４ｃ、２４ｄ、３４ｃ、３４ｄ    面ファスナー（接合手段）
２４ｅ、２４ｆ、３４ｅ、３４ｆ    ループ紐（接合手段）
１４、２５、３５    大パネル部
１４ａ、１４ｂ、２５ａ、２５ｂ、３５ａ、３５ｂ    オープンファスナー（接合手段）
１４ｃ、１４ｄ、２５ｃ、２５ｄ、３５ｃ、３５ｄ    面ファスナー（接合手段）
１４ｅ、１４ｆ、２５ｅ、２５ｆ、３５ｅ、３５ｆ    ループ紐（接合手段）
５２、６２、７２、８２    ボディ部
５２ｂ、６２ｂ、７２ｂ、８２ｂ    オープンファスナー（接合手段）
８２ｆ    ループボタン（接合手段）
５３、６３、７３、８３    パネル部
５３ｂ、６３ｂ、７３ｂ、８３ｂ    オープンファスナー（接合手段）
８３ｆ    ループ紐（接合手段）
Ａ、Ｃ    小ビスチェ
Ｂ、Ｅ    大ビスチェ
Ｄ    中ビスチェ
Ｆ    首飾り
Ｇ    肩紐
Ｈ    オフショルダー
Ｓ    セッパ（取付手段）
Ｔ    ボタン（取付手段）
Ｕ    シリコン付ゴム
Ｖ    ステッチ
【図１】
2004293012.tif 000005
【図２】
2004293012.tif 000006
【図３】
2004293012.tif 000007
【図４】
2004293012.tif 000008
【図５】
2004293012.tif 000009